(57)【要約】      （修正有）【課題】バックル角部のベルト本体への食い込みに起因する摩損を抑制し、ベルトの長寿命化と見栄えの維持に寄与するベルト用バックル及びベルトを提供する。【解決手段】ベルトは、ベルト用バックル１と、これに接続したベルト本体からなる。ベルト用バックル１は、ベルト本体の端部を接続可能なベルト接続部１０、ベルト接続部１０に取着され、ベルト接続部１０との対向位置に、挿通されるベルト本体の表面が沿うと共に、ベルト本体表面に生じる応力を分散可能で、ベルト接続部側に形成した膨出曲面を含む第１応力分散構造又はベルト接続部側に形成され、着用状態で着用者側に向く裏面から表面に向けて傾斜する傾斜面を含む第２応力分散構造を有する沿接部１１０を設けた枠状のバックル本体部１１と、バックル本体部１１に挿通するベルト本体を係止可能な係止部１２を有する。【選択図】図１
0003214682.tif 000002
【実用新案登録請求の範囲】
【請求項１】
ベルト本体の端部を接続可能なベルト接続部と、
該ベルト接続部に取り付けられ、前記ベルト接続部との対向位置に、挿通されるベルト本体の表側の面が沿うと共に、前記ベルト本体の表側の面に生じる応力を分散可能な沿接部を有し、該沿接部には、少なくとも前記ベルト接続部側に形成された膨出曲面を含む構造の第１応力分散構造、または、少なくとも前記ベルト接続部側に形成され、着用状態で着用者側に向く裏面から表面に向けて傾斜する傾斜面を含む構造の第２応力分散構造、のいずれか一つが設けられた、枠状のバックル本体部と、
該バックル本体部または前記ベルト接続部のいずれか一方に設けられ、同バックル本体部に挿通される同ベルト本体を係止可能な係止部とを備える
ベルト用バックル。
【請求項２】
前記第１応力分散構造が、円筒体、丸棒体、膨出曲面が前記沿接部の着用者側の全部に形成されたもの、または、膨出曲面が前記沿接部の着用者側の一部かつ前記ベルト接続部側に形成されたもの、のいずれか一つにより構成されたものである
請求項１に記載のベルト用バックル。
【請求項３】
前記第２応力分散構造が、前記傾斜面を含む複数の当接面からなり、少なくとも前記裏面と同裏面に連続する前記当接面との間の内角が、１２０°〜１７０°に設定されたものである
請求項１に記載のベルト用バックル。
【請求項４】
帯状のベルト本体と、
該ベルト本体の端部が接続されたベルト接続部、該ベルト接続部に取り付けられ、前記ベルト接続部との対向位置に、挿通されるベルト本体の表側の面が沿うと共に、前記ベルト本体の表側の面に生じる応力を分散可能な沿接部を含み、該沿接部には、少なくとも前記ベルト接続部側に形成された膨出曲面を含む構造の第１応力分散構造、または、少なくとも前記ベルト接続部側に形成され、着用状態で着用者側に向く裏面から表面に向けて傾斜する傾斜面を含む構造の第２応力分散構造、のいずれか一つが設けられた、枠状のバックル本体部、および、該バックル本体部または前記ベルト接続部のいずれか一方に設けられ、同バックル本体部に挿通する同ベルト本体を係止可能な係止部を有するベルト用バックルとを備える
ベルト。
【考案の詳細な説明】
【技術分野】
【０００１】
本考案は、ベルト用バックルおよびベルトに関する。更に詳しくは、従来のベルトにおいてみられたバックル角部のベルト本体への食い込みに起因する摩損を抑制し、ベルトの長寿命化と見栄えの維持に寄与するベルト用バックルおよびベルトに関する。
【背景技術】
【０００２】
一般的に、衣装用のベルトはベルト本体とバックルからなり、特にバックルは着用者の正面側に位置することから、ベルトの顔ともいえる部分である。バックルには様々な形状および構造のものがあるが、そのなかでも、例えば、下記非特許文献１に記載されたような角型のものが広く知られており、フォーマルシーンまたはカジュアルシーンを問わず使用可能な外観となっている。このようなバックルを備えたベルトの構成を図５に示している。
【０００３】
図５に示すベルト９はバックル９０とベルト本体９４を備え、バックル９０は、ベルト本体９４の基端を固定する固定部９１、固定部９１に取着された平面視コ字形の枠体であるバックル本体部９２、固定部９１に基端部が取着されたツク棒９３を有し、固定部９１と対向する位置にあるバックル本体部９２の枠材の横断面形状は矩形である（図５（ｂ）参照）。
【先行技術文献】
【非特許文献】
【０００４】
【非特許文献１】浅香ベルト  商品詳細  メンズ  リバーシブルベルト  高級キップスキン・オイルレザー  ビジネスからカジュアルまで  インターネット＜http://asaka-belt.sakura.ne.jp/detail/ri020.html＞
【考案の概要】
【考案が解決しようとする課題】
【０００５】
ところで、着用者がベルト９をややきつめに締めた場合、ツク棒９３で固定された箇所を支点として、ベルト本体９４に図５（ｂ）に示す矢印Ａ１方向への引っ張り力（換言すると、ベルト９の長手方向への引っ張り力）が発生し、これに起因して、矢印Ａ２方向へ力が作用し、丸印９５の箇所において、バックル本体の角部９２１にベルト本体の表面９４１が押し付けられる応力が発生する。
【０００６】
この応力が生じる沿接部位は、幅がごく狭い（以下「偏狭な」という）一条の線接触状態であって、狭い範囲に応力が集中するため、この状態が継続すると、ベルト本体の表面９４１にバックル本体の角部９２１が食い込んでベルトの幅方向へ亘る跡が付いたり、曲がったりすることになる。
【０００７】
また、前述の状態で着用者が動くと、沿接部位で摩擦が起き、その摩擦力によってベルト本体の表面９４１が徐々に摩耗し、摩損（いわゆる傷）が目立つ見栄が良くないベルトになってしまう。更に、摩損範囲が拡がり、かつ深くなることで表面下の組織が露出するが、この組織は、コーティング等の処理がなされたベルト本体の表面９４１よりも摩耗に弱いため、摩損が裂け目となって更に深く広いものとなり、最終的にはベルト本体９４の破断に繋がるおそれがある。
【０００８】
本考案は、以上の点を鑑みて創案されたものであり、従来のベルトにおいてみられたバックル角部のベルト本体への食い込みに起因する摩損を抑制し、ベルトの長寿命化と見栄えの維持に寄与することができるベルト用バックルおよびベルトを提供することを目的とするものである。
【課題を解決するための手段】
【０００９】
上記の目的を達成するために、本考案のベルト用バックルは、ベルト本体の端部を接続可能なベルト接続部と、ベルト接続部に取り付けられ、ベルト接続部との対向位置に、挿通されるベルト本体の表側の面が沿うと共に、ベルト本体の表側の面に生じる応力を分散可能な沿接部を有し、沿接部には、少なくともベルト接続部側に形成された膨出曲面を含む構造の第１応力分散構造、または、少なくともベルト接続部側に形成され、着用状態で着用者側に向く裏面から表面に向けて傾斜する傾斜面を含む構造の第２応力分散構造、のいずれか一つが設けられた、枠状のバックル本体部と、バックル本体部またはベルト接続部のいずれか一方に設けられ、バックル本体部に挿通されるベルト本体を係止可能な係止部とを備える。
【００１０】
ここで、本考案のベルト用バックルは、ベルト接続部がベルト本体の端部を接続できることによって、バックル付きのベルトを構成することができる。
【００１１】
そして、本考案のベルト用バックルは、バックル本体部が枠状であることよって、内側に挿通させたベルト本体を輪状にして保持することができる。
【００１２】
加えて、ベルト用バックルは、ベルト接続部との対向位置に、挿通されるベルト本体の表側の面（以下、「ベルト本体表面」という）が沿う沿接部を有し、この沿接部に、前述の第１応力分散構造または第２応力分散構造のいずれかが設けられていることによって、ベルト本体を接続してなるベルトを着用し、ベルト本体表面が沿った沿接状態で、ベルト本体表面に生じる応力を分散することができる。
【００１３】
これにより、本考案のベルト用バックルは、非特許文献１記載のバックルと比較して、バックル角部による偏狭な一条の線接触状態で生じていたベルト本体表面への応力を分散させることができ、ベルト本体表面へのバックル角部の食い込みに起因する摩損を抑制することができる。
【００１４】
更に、本考案のベルト用バックルは、係止部がバックル本体部に挿通するベルト本体を係止することができることによって、着用の際に、着用者のウエストに回し掛けたベルト本体を適当な位置で係止し、好適な締め心地を提供することができる。
【００１５】
このように、本考案のベルト用バックルによれば、前述の構成を備えることにより、ベルトの長寿命化と見栄えの維持に寄与することができる。
【００１６】
また、第１応力分散構造が、円筒体、丸棒体、膨出曲面が沿接部の着用者側の全部に形成されたもの、または、膨出曲面が沿接部の着用者側の一部かつベルト接続部側に形成されたもの、のいずれか一つにより構成されたものである場合は、前述のいずれか一つから選択された第１応力分散構造によって、ベルト用バックルを接続してなるベルトの着用の際に、ベルト本体表面が沿った沿接状態で、非特許文献１記載のバックルでみられた偏狭な一条の線接触ではなく、第１応力分散構造の曲面に沿った比較的幅広な線接触あるいは面接触にすることができ、ベルト本体表面に生じる応力を分散することができる。
【００１７】
つまり、この第１応力分散構造によれば、着用者がベルトを締めた際に、ベルト本体表面が第１応力分散構造の曲面に沿って回し掛けられる態様となり、これによって、非特許文献１記載のバックルにおいてみられたベルト本体表面へのバックル角部の食い込みが起きることがなく、また、ベルト本体表面との沿接部位の接触面積拡大により、加わる応力を分散することができる構造となっている。
【００１８】
なお、第１応力分散構造が、膨出曲面が沿接部の着用者側の全部に形成されたもの、または、膨出曲面が沿接部の着用者側の一部かつベルト接続部側に形成されたものである場合は、沿接部の着用者側と反対となる側（即ち、着用時において周りから見える側であり、「表面（おもてめん）」とも換言できる）を、例えばエッジの立った角形にしたり、装飾を施したりすること等が可能で、デザイン選択の自由度が高いものにすることができる。
【００１９】
また、第２応力分散構造が、傾斜面を含む複数の当接面からなり、少なくとも裏面と裏面に連続する当接面との間の内角が、１２０°〜１７０°に設定されたものである場合は、裏面と連続し表面側へ向かう傾斜した当接面の傾斜角が１２０°〜１７０°に構成され、これによって、非特許文献１記載のバックルでみられた偏狭な一条の線接触ではなく、応力が加わっていない状態において少なくとも二条の線接触となり、応力が加わった状態においては傾斜面である当接面に沿った面接触にすることができる。
【００２０】
つまり、この第２応力分散構造によれば、着用者がベルトを締めた際に、傾斜角が１２０°〜１７０°に設定された緩斜面である前述の当接面に沿って回し掛けられる態様となり、これによって、従来のベルトにおいてみられたベルト本体表面に摩損を生じさせる程のバックル角部の食い込みが起きることがなく、また、ベルト本体表面との沿接部位の接触面積拡大により、加わる応力を分散することができる構造となっている。加えて、前述の第２応力分散構造によれば、バックル本体部の表面を、例えばエッジの立った角形や装飾を施す等のデザイン選択の自由度が高いものとすることができる。
【００２１】
上記の目的を達成するために、本考案のベルトは、帯状のベルト本体と、ベルト本体の端部が接続されたベルト接続部、ベルト接続部に取り付けられ、ベルト接続部との対向位置に、挿通されるベルト本体の表側の面が沿うと共に、ベルト本体の表側の面に生じる応力を分散可能な沿接部を含み、沿接部には、少なくともベルト接続部側に形成された膨出曲面を含む構造の第１応力分散構造、または、少なくともベルト接続部側に形成され、着用状態で着用者側に向く裏面から表面に向けて傾斜する傾斜面を含む構造の第２応力分散構造、のいずれか一つが設けられた、枠状のバックル本体部、および、バックル本体部またはベルト接続部のいずれか一方に設けられ、バックル本体部に挿通するベルト本体を係止可能な係止部を有するベルト用バックルとを備える。
【００２２】
ここで、本考案のベルトは、ベルト用バックルのベルト接続部に、ベルト本体の端部を接続することによって、バックル付きのベルトを構成することができる。そして、本考案のベルトは、ベルト用バックルのバックル本体部が枠状であることよって、枠内へ挿通させたベルト本体を輪状にして保持することができる。
【００２３】
加えて、本考案のベルトは、ベルト用バックルが、ベルト接続部との対向位置に、挿通されるベルト本体のベルト本体表面が沿う沿接部を有し、この沿接部に、前述の第１応力分散構造または第２応力分散構造のいずれかが設けられていることによって、ベルトを着用し、ベルト本体表面が沿った沿接状態で、ベルト本体表面に生じる応力を分散することができる。これにより、本考案のベルトは、非特許文献１記載のベルトと比較して、バックル角部による偏狭な一条の線接触状態で生じていたベルト本体表面への応力を分散させることができ、ベルト本体表面へのバックル角部の食い込みに起因する摩損を抑制することができる。
【００２４】
そして、本考案のベルトは、ベルト用バックルの係止部がバックル本体部に挿通するベルト本体を係止することができることによって、着用の際に、着用者のウエストに回し掛けたベルト本体を適当な位置で係止し、好適な締め心地を提供することができる。
【００２５】
このように、本考案のベルトによれば、前述の構成を備えることにより、ベルトの長寿命化と見栄えの維持に寄与することができる。
【考案の効果】
【００２６】
本考案に係るベルト用バックルおよびベルトによれば、従来のベルトにおいてみられたバックル角部のベルト本体への食い込みに起因する摩損を抑制し、ベルトの長寿命化と見栄えの維持に寄与することができる。
【図面の簡単な説明】
【００２７】
【図１】本考案に係るベルト用バックルを説明するための基本構成を示す斜視概略図である。
【図２】本考案のベルト用バックルの第１実施形態を示し、（ａ）は斜視図、（ｂ）は（ａ）のＡ−Ａ断面図、（ｃ）は（ｂ）においてベルト用バックルとベルト本体を接続してなるベルトの要部を示し、ベルト本体を通して係止した状態の断面視説明図である。
【図３】本考案のベルト用バックルの第２実施形態を示し、（ａ）は上方からみた斜視図、（ｂ）は下方からみた斜視図である。
【図４】本考案のベルト用バックルの第３〜７実施形態を示し、各ベルト用バックルの応力分散構造部の断面形状を実線で示すと共に、沿接するベルト本体を想像線で示しており、（ａ）は第３実施形態の概略図、（ｂ）は第４実施形態の概略図、（ｃ）は第５実施形態の概略図、（ｄ）は第６実施形態の概略図、（ｅ）は第７実施形態の概略図である。
【図５】非特許文献１記載の従来のベルト用バックルおよびベルトであり、（ａ）はベルト用バックルの斜視図、（ｂ）は（ａ）のＢ−Ｂ断面図で、沿接したベルト本体を想像線で示した説明図である。
【考案を実施するための形態】
【００２８】
図１〜図４を参照して、本考案の実施の形態を更に詳細に説明する。なお、各図における符号は、煩雑さを軽減し理解を容易にする範囲内で付している。また、最初に、図１を参照して本考案に係るベルト用バックルの基本構成を説明し、続いて、図２〜図４を参照して第１〜７実施形態に係るベルト用バックルおよびベルトを説明する。
【００２９】
本考案のベルト用バックル１は、ベルト接続部１０と、ベルト接続部１０に取り付けられ、応力分散構造を含む沿接部１１０を有する枠状のバックル本体部１１と、ベルト本体を係止可能な係止部１２とを備える（図１参照）。そして、ベルト用バックル１とベルト本体を接続することで本考案のベルトが構成される（図示省略）。各部については、以下で詳述する。なお、各実施形態のベルト用バックルと組み合わされるベルト本体は、天然または人工の皮革により構成された帯体であり、中間部から先部側にかけて、厚み方向へ貫通した貫通孔（いわゆるベルト孔）が長手方向に所定間隔を空けて複数形成されており、基端部をベルト接続部１０に接続することができる。
【００３０】
（ベルト接続部）
ベルト接続部１０は、ベルト本体の端部を接続可能な構造である。
【００３１】
ベルト用バックル１において、ベルト接続部１０は、基部側（図１において奥側）に開口部（図１では見えていないため、図２（ｂ）、（ｃ）を参照）が形成され、この開口部からベルト本体２の端部を挿入し、挟んで固定することで、ベルト用バックル１とベルト本体２が接続される構造である。また、ベルト接続部１０は、基部側上面に門型のベルト通し部１０１が設けられている。このベルト通し部１０１は、係止部１２で係止されたベルト本体の先部を通してベルト先部ないし中間部分が遊動しないように保持することができる。
【００３２】
（バックル本体部）
バックル本体部１１は、ベルト接続部１０との対向位置にある枠材の一部に、沿接部１１０が設けられた構造である。そして、沿接部１１０は、挿通されるベルト本体の表面が沿った沿接状態で、ベルト本体表面に生じる応力を分散可能な第１応力分散構造または第２応力分散構造のいずれかが設けられている。
【００３３】
第１応力分散構造は、少なくとも前記ベルト接続部側に形成された膨出曲面を含む構造を含む構造であり、第２応力分散構造は、少なくとも前記ベルト接続部方向を向いた側に形成され、着用状態で着用者側に向く裏面から表面に向けて傾斜する傾斜面を含む構造である。各応力分散構造については、後述する第１〜第７実施形態において具体的に例示する。なお、ここで「応力」は「荷重」「外力」とも換言可能である。
【００３４】
このバックル本体部１１は、枠状であることよって、枠内へ挿通させたベルト本体２を輪状にして保持することができる。また、バックル本体部１１は、前述の第１または第２応力分散構造を有する沿接部１１０を有することによって、ベルト本体を接続してなるベルトを着用し、ベルト本体表面が沿った沿接状態で、ベルト本体表面に生じる応力を分散することができる。
【００３５】
これにより、ベルト用バックル１１は、非特許文献１記載のバックルと比較して、バックル角部による偏狭な一条の線接触状態で生じていたベルト本体表面への応力を分散させることができ、ベルト本体表面へのバックル角部の食い込みに起因する摩損を抑制することができる。
【００３６】
図１に示すベルト用バックル１において、バックル本体部１１は、枠内がベルト本体を挿通可能な幅に形成された平面視コ字形の枠体である。そして、バックル本体部１１は、その両基端がベルト接続部１０の先部側に軸着されて、取付軸（図示省略）を中心としてベルト本体の厚み方向に揺動可能な構造である。なお、本考案におけるバックル本体部の形状は前述の通りであるが、これに限定するものではなく、例えば、平面視でＵ字形、オーバル形の枠体等、他の公知形状を除外するものではない。
【００３７】
（係止部）
係止部１２は、バックル本体部１１またはベルト接続部１０のいずれか一方に設けられ、バックル本体部１１に挿通するベルト本体を係止可能な構造である。係止部１２は、前述の構造であることにより、着用の際に、着用者のウエストに回し掛けたベルト本体を適当な位置で係止し、好適な締め心地を提供することができる。
【００３８】
図１に示すベルト用バックル１において、係止部１２は、基端がベルト接続部１０の先部側に軸着された棒体（いわゆる、ツク棒）であり、基端を軸に図１で示す上下方向に回動可能で、先端が沿接部１１０に当たって下方への回動が止まる構造（いわゆるピンバックル構造）である。なお、本考案における係止部は、前述の構造を採用しているが、これに限定するものではなく、例えば、ツク棒が２本のダブルピンバックル構造その他の公知手段を除外するものではない。
【００３９】
このように、本考案のベルト用バックル１によれば、前述の構成を備えることにより、ベルトの長寿命化と見栄えの維持に貢献することができる。
【００４０】
〔第１実施形態〕
図２を参照して、第１実施形態のベルト用バックル１ａ（ベルト３）について説明する。なお、本実施形態において、ベルト接続部と係止部は、前述したベルト用バックル１のベルト接続部１０および係止部１２と同様の構造であるため、共通部分の構造および作用効果の説明は省略し、図１に示すベルト用バックル１と同じ符号を付している。
【００４１】
バックル本体部１１ａは、ベルト長手方向に沿って配置される枠構成材１１２ａおよび枠構成材１１３ａと、枠構成材１１２ａおよび枠構成材１１３ａの先端に架け渡すように取り付けられた沿接部１１０ａからなり、枠内がベルト本体２を挿通可能な幅に形成された平面視コ字形の枠体である。そして、バックル本体部１１ａは、枠構成材１１２ａおよび枠構成材１１３ａの基端がベルト接続部１０の先部側に軸着されて、取付軸１０３（図２（ｂ）参照）を中心としてベルト本体２の厚み方向に揺動可能な構造である。
【００４２】
ベルト用バックル１ａにおいて、ベルト接続部１０は、基部側に開口部１０２（図２（ｂ）参照）が形成され、この開口部１０２からベルト本体２の端部を挿入し、挟んで固定することで、ベルト用バックル１ａとベルト本体２が接続される構造である。（図２（ｃ）参照）
【００４３】
バックル本体部１１ａの沿接部１１０ａは、表面が滑らかな断面円形の丸棒体により構成され、応力分散構造１１１ａ（前述の第１応力分散構造に相当する）を有している。なお、沿接部１１０ａは、回転しないように取り付けられている。
【００４４】
このバックル本体部１１ａは、応力分散構造部１１１ａが曲面であるため、着用者がベルト３を締め、ベルト本体表面２１との沿接部位２２が曲面に沿って回し掛けられる態様となった際に、ベルト本体表面２１との沿接部位２２を、非特許文献１記載のベルトでみられた偏狭な一条の線接触ではなく、応力分散構造１１１ａの曲面に沿った比較的幅広な線接触あるいは面接触にすることができる。これによって、非特許文献１記載のベルトにおいてみられたベルト本体表面へのバックル角部の食い込みが起きることがなく（図２（ｃ）参照）、また、ベルト本体表面２１との沿接部位２２の接触面積拡大により応力を分散させることができる。
【００４５】
〔第２実施形態〕
図３を参照して、第２実施形態のベルト用バックル１ｂについて説明する。なお、本実施形態において、ベルト接続部と係止部は、前述したベルト用バックル１のベルト接続部１０および係止部１２と同様の構造であるため、共通部分の構造および作用効果の説明は省略し、図１〜２に示すベルト用バックル１、１ａと同じ符号を付している。
【００４６】
バックル本体部１１ｂは、枠構成材１１２ａ、枠構成材１１３ａ、枠構成材１１２ａと枠構成材１１３ａの先端に架け渡すように取り付けられた沿接部１１０ｂからなり、枠内がベルト本体２を挿通可能な幅に形成された平面視コ字形の枠体である。なお、枠構成材１１２ａと枠構成材１１３ａについては第１実施形態と同じ構造、作用効果であるため、説明を省略する。
【００４７】
バックル本体部１１ｂの沿接部１１０ｂは、中央部分が最も径大で、両端に向かって徐々に細くなるテーパ状の丸棒体により構成され、長手方向中央の外周面に円周方向に亘り溝１１４が形成される共に、応力分散構造１１１ｂ（前述の第１応力分散構造に相当する）を有している。
【００４８】
このバックル本体部１１ｂは、応力分散構造１１１ｂが曲面であるため、着用者がベルトを締め、ベルト本体表面との沿接部位が曲面に沿って回し掛けられる態様となった際に、ベルト本体表面との沿接部位を、非特許文献１記載のベルトでみられた偏狭な一条の線接触ではなく、応力分散構造１１１ｂの曲面に沿った比較的幅広な線接触あるいは面接触にすることができる。これによって、非特許文献１記載のベルトにおいてみられたベルト本体表面へのバックル角部の食い込みが起きることがなく、また、ベルト本体表面との沿接部位の接触面積拡大により応力を分散させることができる。
【００４９】
なお、沿接部１１０ｂは、枠構成材１１２ａと枠構成材１１３ａの間において、軸回転するように取り付けられていてもよいし、軸回転しないように取り付けられていてもよい。軸回転するように取り付けられている場合は、着用者の動きに伴ってベルトの長手方向への引っ張り力が発生したとしても、沿接部１１０ｂの回転により、ベルトが長手方向に滑って沿接部位となる箇所が連続的に移動するので、応力分散構造１１１ｂが応力の一点集中を緩和することができる。なお、この場合、係止部１２の先端が溝１１４に沿って滑り、沿接部１１０ｂの回転を阻害しないようになっている。
【００５０】
〔第３実施形態〕
図４（ａ）を参照して、第３実施形態のベルト用バックル１１ｃについて説明する。なお、本実施形態において、ベルト用バックル１１ｃは、応力分散構造１１１ｃを除き、前述したベルト用バックル１と同様の構造であるため、共通部分の図示、構造および作用効果の説明は省略している。
【００５１】
バックル本体部１１ｃは、ベルト接続部に接続されたベルト本体２を挿通可能な平面視コ字形の枠体で、ベルト本体２を締めた締着状態におけるベルト本体表面２１と沿接可能な沿接部１１０ｃに、ベルト本体表面２１に加わる応力を分散可能な応力分散構造１１１ｃ（前述の第１応力分散構造に相当する）を有する構造である。
【００５２】
応力分散構造１１１ｃは、沿接部１１０ｃの着用者側（図４（ａ）で下方側）から係止部１２側（図４（ａ）で左側）にかけて形成された、断面視４分の１円弧状の膨出曲面により構成されており、これにより、着用者がベルトを締めた際に、ベルト本体表面２１との沿接部位２２が膨出曲面に沿って回し掛けられる態様となる。
【００５３】
この結果、非特許文献１記載のベルトにおいてみられたベルト本体表面へのバックル角部の食い込みが起きることがなく、また、応力分散構造１１１ｃとベルト本体表面２１との沿接部位２２の接触面積拡大により応力を分散させることができ、ひいては、食い込みに起因する摩損を抑制することができる。一方、バックル本体部１１１ｃは、着用者側と反対となる側（表面「おもてめん」）からはエッジの立った角形のバックルに見えるので、シャープな印象のバックルとすることができる。
【００５４】
〔第４実施形態〕
図４（ｂ）を参照して、第４実施形態のベルト用バックル１１ｄについて説明する。なお、本実施形態において、ベルト用バックル１１ｄは、応力分散構造１１１ｄを除き、前述したベルト用バックル１と同様の構造であるため、共通部分の図示、構造および作用効果の説明は省略している。
【００５５】
バックル本体部１１ｄは、ベルト接続部に接続されたベルト本体２を挿通可能な平面視コ字形の枠体で、沿接部１１０ｄに、ベルト本体表面２１に加わる応力を分散可能な応力分散構造１１１ｄ（前述の第１応力分散構造に相当する）を有する構造である。
【００５６】
応力分散構造部１１１ｄは、沿接部１１０ｄの着用者側（図４（ｂ）で下方側）から係止部１２側（図４（ｂ）で左側）にかけて形成された、断面視４分の１円弧状で図４（ｂ）において左上方側となる角部を丸くした膨出曲面により構成されており、これにより、着用者がベルトを締めた際に、ベルト本体表面２１との沿接部位２２が膨出曲面に沿って回し掛けられる態様となる。
【００５７】
この結果、非特許文献１記載のベルトにおいてみられたベルト本体表面へのバックル角部の食い込みが起きることがなく、また、応力分散構造１１１ｄとベルト本体表面２１との沿接部位２２の接触面積拡大により応力を分散させることができ、ひいては、食い込みに起因する摩損を抑制することができる。
【００５８】
〔第５実施形態〕
図４（ｃ）を参照して、第５実施形態のベルト用バックル１１ｅについて説明する。なお、本実施形態において、ベルト用バックル１１ｅは、応力分散構造１１１ｅを除き、前述したベルト用バックル１と同様の構造であるため、共通部分の図示、構造および作用効果の説明は省略している。
【００５９】
バックル本体部１１ｅは、ベルト接続部に接続されたベルト本体２を挿通可能な平面視コ字形の枠体で、沿接部１１０ｅに、ベルト本体表面２１に加わる応力を分散可能な応力分散構造１１１ｅ（前述の第１応力分散構造に相当する）を有する構造である。
【００６０】
応力分散構造１１１ｅは、沿接部１１０ｅの着用者側（図４（ｃ）で下方側。着用者側の全部）に向けて膨らんだ断面視半円弧状の膨出曲面により構成されており、これにより、着用者がベルトを締めた際に、ベルト本体表面２１との沿接部位２２が膨出曲面に沿って回し掛けられる態様となる。
【００６１】
この結果、非特許文献１記載のベルトにおいてみられたベルト本体表面へのバックル角部の食い込みが起きることがなく、また、応力分散構造１１１ｅとベルト本体表面２１との沿接部位２２の接触面積拡大により応力を分散させることができ、ひいては、食い込みに起因する摩損を抑制することができる。一方、バックル本体部１１１ｅの表面からはエッジの立った角形のバックルに見えるので、シャープな印象のバックルとすることができる。
【００６２】
〔第６実施形態〕
図４（ｄ）を参照して、第６実施形態のベルト用バックル１１ｆについて説明する。なお、本実施形態において、ベルト用バックル１１ｆは、応力分散構造１１１ｆを除き、前述したベルト用バックル１と同様の構造であるため、共通部分の図示、構造および作用効果の説明は省略している。
【００６３】
バックル本体部１１ｆは、ベルト接続部に接続されたベルト本体２を挿通可能な平面視コ字形の枠体で、沿接部１１０ｆに、ベルト本体表面２１に加わる応力を分散可能な応力分散構造１１１ｆ（前述の第２応力分散構造に相当する）を有する構造である。
【００６４】
応力分散構造部１１１ｆは、沿接部１１０ｆのベルト接続部側に向いた面（図４（ｄ）で沿接部１１０の左側）に、大面かつ角面の面取り処理による傾斜した当接面（符号省略）が形成された構成であり、これにより、非特許文献１記載のベルトでみられた偏狭な一条の線接触ではなく、応力が加わっていない状態において少なくとも二条の線接触となり、応力が加わった状態においては応力分散構造１１１ｆに形成された当接面に沿った面接触にすることができ、着用者がベルトを締めた際に、前述の当接面に沿ってベルト本体表面２１が回し掛けられ、ベルト本体表面２１との沿接部位２２が応力分散構造１１１ｆに沿う態様となる。
【００６５】
この応力分散構造１１１ｆによれば、非特許文献１記載のベルトにおいてみられたベルト本体表面に摩損を生ぜしめる程のバックル角部の食い込みが起きることがなく、また、ベルト本体表面２１との沿接部位２２の接触面積拡大により応力を分散させることができる。一方、バックル本体部１１１ｆの表面からはエッジの立った角形のバックルに見えるので、シャープな印象のバックルとすることができる。
【００６６】
なお、当接面の傾斜角は、食い込み防止の観点から、断面視で両側の内角のいずれもが１２０°〜１７０°の範囲内の鈍角に設定されることが好ましく、１３０°〜１６０℃の範囲内の鈍角であることが、より好ましい。
【００６７】
〔第７実施形態〕
図４（ｅ）を参照して、第７実施形態のベルト用バックル１１ｇについて説明する。なお、本実施形態において、ベルト用バックル１１ｇは、応力分散構造１１１ｇを除き、前述したベルト用バックル１と同様の構造であるため、共通部分の図示、構造および作用効果の説明は省略している。
【００６８】
バックル本体部１１ｇは、ベルト接続部に接続されたベルト本体２を挿通可能な平面視コ字形の枠体で、沿接部１１０ｇに、ベルト本体表面２１に加わる応力を分散可能な応力分散構造１１１ｇ（前述の第２応力分散構造に相当する）を有する構造である。
【００６９】
応力分散構造部１１１ｇは、沿接部１１０ｇのベルト接続部側に向いた面（図４（ｅ）で沿接部１１０ｇの左側）に、表面（図４（ｅ）で上方側）に向かって傾斜する大面かつ船型面の面取り処理による傾斜した当接面が形成された構成であり、これにより、従来のベルトでみられた偏狭な一条の線接触ではなく、応力分散構造部１１１ｇに形成された当接面に沿った面接触にすることができ、着用者がベルトを締めた際に、前述の当接面に沿ってベルト本体表面２１が回し掛けられ、ベルト本体表面２１との沿接部位２２が応力分散構造１１１ｇに沿う態様となる。
【００７０】
この応力分散構造１１１ｇによれば、従来のベルトにおいてみられたベルト本体表面に摩損を生ぜしめる程のバックル角部の食い込みが起きることがなく、また、ベルト本体表面２１との沿接部位２２の接触面積拡大により応力を分散させることができる。一方、バックル本体部１１１ｇの表面からはエッジの立った角形のバックルに見えるので、シャープな印象のバックルとすることができる。そして、当接面の傾斜角は、第６実施形態と同様の数値範囲で設定されることが好ましい。
【００７１】
以上のように、本考案を適用したベルト用バックルおよびベルトは、従来のベルトにおいてみられたバックル角部のベルト本体への食い込みに起因する摩損を抑制し、ベルトの長寿命化と見栄えの維持に貢献することができるものとなっている。
【００７２】
なお、本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００７３】
１    ベルト用バックル
１０    ベルト接続部
１０１    ベルト通し部
１０２    開口部
１１、１１ａ、１１ｂ、１１ｃ、１１ｄ、１１ｅ、１１ｆ、１１ｇ    バックル本体部
１１０ａ、１１０ｂ、１１０ｃ、１１０ｄ、１１０ｅ、１１０ｆ、１１０ｇ    沿接部
１１１ａ、１１１ｂ、１１１ｃ、１１１ｄ、１１１ｅ、１１１ｆ、１１１ｇ    応力分散構造
１２    係止部
１１２ａ    枠構成材
１１３ａ    枠構成材
１１４    溝
２    ベルト本体
２１    ベルト本体表面
２２    沿接部位
３    ベルト
９    ベルト
９０    バックル
９１    固定部
９２    バックル本体部
９２１    バックル本体の角部
９３    ツク棒
９４    ベルト本体
９４１    ベルト本体の表面
９５    丸印
Ａ１    矢印
Ａ２    矢印
【図１】
0003214682.tif 000003
【図２】
0003214682.tif 000004
【図３】
0003214682.tif 000005
【図４】
0003214682.tif 000006
【図５】
0003214682.tif 000007